(57)【要約】【課題】ケーブル線の端部の芯線部分にターミナルまたはプラグピンをかしめる必要性を排除する。また、ケーブル線の端部の芯線部分にコンタクトをかしめる必要性を排除する。【解決手段】ケーブル線１１の端部の芯線部分１２を収容するためにケーブル線中継用コネクタに設けられたプラグハウジング２０が、芯線部分１２を直接把持する。また、ケーブル線５１の端部の芯線部分５２を収容するためのソケットハウジング６０においては、芯線部分５２と係合するための弾性変形可能な係合部７１を有するコンタクト７０がソケットハウジング６０内に配置される。あるいは、プラグピン３４０が、ケーブル線１１の端部の芯線部分１２に対してかしめられることなく、その芯線部分１２上に被せられ、次いで、プラグピン３４０および芯線部分１２がプラグハウジング２０’に取付けられる。【選択図】図１
2005293957.tif 000002
【特許請求の範囲】
【請求項１】
ケーブル線の端部の芯線部分を収容するためのプラグハウジングを具備するケーブル線中継用コネクタにおいて、前記プラグハウジングが前記芯線部分を直接把持していることを特徴とするケーブル線中継用コネクタ。
【請求項２】
前記ケーブル線と前記プラグハウジングとを熱収縮性チューブによって保持したことを特徴とする請求項１に記載のケーブル線中継用コネクタ。
【請求項３】
ケーブル線の端部の芯線部分を収容するためのソケットハウジングを具備するケーブル線中継用コネクタにおいて、前記芯線部分と係合するための弾性変形可能な第１の係合部を有するコンタクトを前記ソケットハウジング内に配置したことを特徴とするケーブル線中継用コネクタ。
【請求項４】
前記芯線部分が前記第１の係合部と係合せしめられる時に前記芯線部分を保護誘導するための第１の保護誘導部を前記第１の係合部に隣接して配置したことを特徴とする請求項３に記載のケーブル線中継用コネクタ。
【請求項５】
プラグハウジングに取付けられたケーブル線の端部の芯線部分と係合するための弾性変形可能な第２の係合部を前記コンタクトに設けたことを特徴とする請求項３又は４に記載のケーブル線中継用コネクタ。
【請求項６】
プラグハウジングに取付けられたケーブル線の端部の芯線部分が前記第２の係合部と係合せしめられる時にその芯線部分を保護誘導するための第２の保護誘導部を前記第２の係合部に隣接して配置したことを特徴とする請求項５に記載のケーブル線中継用コネクタ。
【請求項７】
前記ソケットハウジングの内壁面と係合するための弾性変形可能な係止部を前記コンタクトに設けたことを特徴とする請求項３〜６のいずれか一項に記載のケーブル線中継用コネクタ。
【請求項８】
前記ソケットハウジングにその端部の芯線部分が収容されたケーブル線と前記ソケットハウジングとを熱収縮性チューブによって保持したことを特徴とする請求項３〜７のいずれか一項に記載のケーブル線中継用コネクタ。
【請求項９】
ケーブル線の端部の芯線部分を収容するためのプラグハウジングを具備するケーブル線中継用コネクタにおいて、まず、プラグピンを前記芯線部分に対してかしめることなく前記芯線部分上に被せ、次いで、前記プラグピンおよび前記芯線部分を前記プラグハウジングに取付けることを特徴とするケーブル線中継用コネクタ。
【請求項１０】
前記芯線部分を予め予備半田することを特徴とする請求項１〜９のいずれか一項に記載のケーブル線中継用コネクタ。
【請求項１１】
ケーブル線中継用コンタクトであって、第１のケーブル線と係合する第１の係合部と、第２のケーブル線と係合する第２の係合部とを有し、一つの部材からなることを特徴とするケーブル線中継用コンタクト。
【発明の詳細な説明】
【技術分野】
【０００１】
本発明は、ケーブル線の端部の芯線部分を収容するためのプラグハウジングを具備するケーブル線中継用コネクタに関し、特には、ケーブル線の端部の芯線部分にターミナルまたはプラグピンをかしめる必要性を排除することができ、また、ターミナルまたはプラグピンの分だけ部品数を低減し、それにより、コストを低減し、装置を小型化することができるケーブル線中継用コネクタに関する。
【０００２】
更に、本発明は、ケーブル線の端部の芯線部分を収容するためのソケットハウジングを具備するケーブル線中継用コネクタに関し、特には、ケーブル線の端部の芯線部分にコンタクトをかしめる必要性や、コンタクトに対してケーブル線を不動に固定するためのＯリングを設ける必要性を排除することができるケーブル線中継用コネクタに関する。
【０００３】
また、本発明は、ケーブル線の端部の芯線部分を収容するためのプラグハウジングを具備するケーブル線中継用コネクタに関し、特には、ケーブル線の端部の芯線部分にプラグピンをかしめる必要性を排除することができ、また、ケーブル線の端部の芯線部分が直接他の部品と電気的に接触せしめられる場合よりも幅広い線径のワイヤをケーブル線として用いることができ、更に、ケーブル線の端部の芯線部分が直接他の部品と電気的に接触せしめられる場合のようにケーブル線の端部の芯線部分のワイヤがばらけるのに伴って電気的接触の信頼性が低下してしまうおそれを排除することができるケーブル線中継用コネクタに関する。
【０００４】
更に、本発明は、ケーブル線中継用コンタクトに関し、特には、ケーブル線の端部の芯線部分にコンタクトをかしめる必要性や、コンタクトに対してケーブル線を不動に固定するためのＯリングを設ける必要性を排除することができ、ターミナルまたはプラグピンを設ける必要性を排除することができるケーブル線中継用コンタクトに関する。
【背景技術】
【０００５】
従来から、一方のケーブル線と他方のケーブル線とを中継するために、一方のケーブル線の端部の芯線部分を収容するプラグハウジングと、他方のケーブル線の端部の芯線部分を収容するソケットハウジングとを具備するケーブル線中継用コネクタが知られている。
【０００６】
図７は従来のプラグ・ソケットタイプのケーブル線中継用コネクタの部分断面図である。図７において、１１０はケーブル線中継用コネクタの一部を構成するプラグアセンブリ、１１１はプラグアセンブリ１１０によって中継されるケーブル線、１１２はケーブル線１１１の端部の芯線部分、１１３はケーブル線１１１の外皮である。１２０はケーブル線１１１の端部の芯線部分１１２を収容するために絶縁体によって形成されたプラグハウジング、１４０はケーブル線１１１の端部の芯線部分１１２にかしめられたターミナル、１４５はゴム状の樹脂である。
【０００７】
１５０はケーブル線中継用コネクタの一部を構成するソケットアセンブリ、１５１はソケットアセンブリ１５０によって中継されるケーブル線、１５２はケーブル線１５１の端部の芯線部分、１５３はケーブル線１５１の外皮である。１６０はケーブル線１５１の端部の芯線部分１５２を収容するために絶縁体によって形成されたソケットハウジング、１７０はケーブル線１５１の端部の芯線部分１５２にかしめられたコンタクト、１８０はゴム状の樹脂である。
【０００８】
図７に示すように、従来のケーブル線中継用コネクタでは、ケーブル線１１１とケーブル線１５１とが中継される場合には、まず、ケーブル線１１１の端部の芯線部分１１２にターミナル１４０がかしめられる。それにより、ケーブル線１１１とターミナル１４０とが電気的に接続せしめられる。次いで、そのターミナル１４０と、プラグハウジング１２０と、樹脂１４５とが一体成形されることにより、プラグアセンブリ１１０が形成される。
【０００９】
同様に、まず、ケーブル線１５１の端部の芯線部分１５２にコンタクト１７０がかしめられる。それにより、ケーブル線１５１とコンタクト１７０とが電気的に接続せしめられる。次いで、そのコンタクト１７０と、ソケットハウジング１６０と、樹脂１８０とが一体成形されることにより、ソケットアセンブリ１５０が形成される。
【００１０】
次いで、ソケットアセンブリ１５０のソケットハウジング１６０が、プラグアセンブリ１１０のプラグハウジング１２０内に嵌合せしめられる。それにより、プラグアセンブリ１１０のターミナル１４０と、ソケットアセンブリ１６０のコンタクト１７０とが電気的に接続せしめられる。その結果、ケーブル線１１１とケーブル線１５１とが電気的に接続せしめられ、中継されることになる。
【００１１】
ところが、図７に示した従来のケーブル線中継用コネクタでは、ケーブル線１１１とケーブル線１５１とを電気的に接続するために、ケーブル線１１１の端部の芯線部分１１２にターミナル１４０をかしめなければならず、ケーブル線１５１の端部の芯線部分１５２にコンタクト１７０をかしめなければならない。
【００１２】
詳細には、例えば図７に示した従来のケーブル線中継用コネクタが電力用ケーブル線の中継に用いられる場合には、ケーブル線１１１の端部の芯線部分１１２およびケーブル線１５１の端部の芯線部分１５２が比較的太いため、ケーブル線１１１の端部の芯線部分１１２にターミナル１４０をかしめたり、ケーブル線１５１の端部の芯線部分１５２にコンタクト１７０をかしめたりするのが難しくなってしまう。
【００１３】
また、図７に示した従来のケーブル線中継用コネクタでは、ターミナル１４０がかしめられた状態でケーブル線１１１の端部の芯線部分１１２をプラグハウジング１２０に取付けなければならず、コンタクト１７０がかしめられた状態でケーブル線１５１の端部の芯線部分１５２をソケットハウジング１６０に取付けなければならない。そのため、ターミナル１４０がかしめられることなくケーブル線１１１の端部の芯線部分１１２がプラグハウジング１２０に取付けられる場合、および、コンタクト１７０がかしめられることなくケーブル線１５１の端部の芯線部分１５２がソケットハウジング１６０に取付けられる場合よりも、ケーブル線１１１の端部の芯線部分１１２をプラグハウジング１２０に取付けること、および、ケーブル線１５１の端部の芯線部分１５２をソケットハウジング１６０に取付けることが難しくなってしまう。
【００１４】
図８は他の従来のプラグ・ソケットタイプのケーブル線中継用コネクタの一部を構成するプラグアセンブリの部分断面図である。図８において、２１０はケーブル線中継用コネクタの一部を構成するプラグアセンブリ、２１１はプラグアセンブリ２１０によって中継されるケーブル線、２１２はケーブル線２１１の端部の芯線部分、２１３はケーブル線２１１の外皮である。２２０はケーブル線２１１の端部の芯線部分２１２を収容するために絶縁体によって形成されたプラグハウジング、２２１はプラグハウジング２２０の外筒部、２２３はプラグハウジング２２０の係止部である。２３０はゴムブッシュ、２４０はケーブル線２１１の端部の芯線部分２１２にかしめられたプラグピンである。
【００１５】
図９は他の従来のプラグ・ソケットタイプのケーブル線中継用コネクタの一部を構成するソケットアセンブリの部分断面図である。図９において、２５０はケーブル線中継用コネクタの一部を構成するソケットアセンブリ、２５１はソケットアセンブリ２５０によって中継されるケーブル線、２５２はケーブル線２５１の端部の芯線部分、２５３はケーブル線２５１の外皮である。２６０はケーブル線２５１の端部の芯線部分２５２を収容するために絶縁体によって形成されたソケットハウジング、２６１はソケットハウジング２６０の外筒部、２６３はソケットハウジング２６０の係止部である。２８０はゴムブッシュ、２７０はケーブル線２５１の端部の芯線部分２５２にかしめられたコンタクト、２９０はＯリングである。
【００１６】
図８および図９に示した従来のケーブル線中継用コネクタでは、ケーブル線２１１とケーブル線２５１とが中継される場合には、まず、図８に示すように、ケーブル線２１１の端部の芯線部分２１２にプラグピン２４０がかしめられる。それにより、ケーブル線２１１とプラグピン２４０とが電気的に接続せしめられる。次いで、そのプラグピン２４０とケーブル線２１１の端部の芯線部分２１２とが、プラグハウジング２２０の外筒部２２１内に挿入され、プラグハウジング２２０の外筒部２２１に対して不動に係止される。また、プラグハウジング２２０の内部を防水するために、ケーブル線２１１の外皮２１３の外周面とプラグハウジング２２０の外周面とに接着剤が塗布され、その接着剤がゴムブッシュ２３０によって覆われる。以上により、プラグアセンブリ２１０が形成される。
【００１７】
同様に、図９に示すように、ケーブル線２５１の端部の芯線部分２５２にコンタクト２７０がかしめられる。それにより、ケーブル線２５１とコンタクト２７０とが電気的に接続せしめられる。次いで、そのコンタクト２７０とケーブル線２５１の端部の芯線部分２５２とが、ソケットハウジング２６０の外筒部２６１内に挿入され、ソケットハウジング２６０の外筒部２６１に対して不動に係止される。また、ソケットハウジング２６０の内部を防水するために、ケーブル線２５１の外皮２５３の外周面とソケットハウジング２６０の外周面とに接着剤が塗布され、その接着剤がゴムブッシュ２８０によって覆われ、Ｏリング２９０がソケットハウジング２６０の外筒部２６１の外周面上に配置される。以上により、ソケットアセンブリ２５０が形成される。
【００１８】
次いで、ソケットハウジング２６０の外筒部２６１がプラグハウジング２２０の外筒部２２１内に嵌合せしめられ、ソケットハウジング２６０の係止部２６３がプラグハウジング２２０の係止部２２３と係合せしめられる。それにより、プラグアセンブリ２１０のプラグピン２４０と、ソケットアセンブリ２６０のコンタクト２７０とが電気的に接続せしめられる。その結果、ケーブル線２１１とケーブル線２５１とが電気的に接続せしめられ、中継されることになる。
【００１９】
ところが、図８および図９に示した従来のケーブル線中継用コネクタでは、ケーブル線２１１とケーブル線２５１とを電気的に接続するために、ケーブル線２１１の端部の芯線部分２１２にプラグピン２４０をかしめなければならず、ケーブル線２５１の端部の芯線部分２５２にコンタクト２７０をかしめなければならない。
【００２０】
詳細には、図８に示した従来のケーブル線中継用コネクタでは、プラグピン２４０がかしめられた状態でケーブル線２１１の端部の芯線部分２１２をプラグハウジング２２０に取付けなければならない。そのため、プラグピン２４０がかしめられることなくケーブル線２１１の端部の芯線部分２１２がプラグハウジング２２０に取付けられる場合よりも、ケーブル線２１１の端部の芯線部分２１２をプラグハウジング２２０に取付けることが難しくなってしまう。
【００２１】
また、図９に示した従来のケーブル線中継用コネクタでは、コンタクト２７０がかしめられた状態でケーブル線２５１の端部の芯線部分２５２をソケットハウジング２６０に取付けなければならない。そのため、コンタクト２７０がかしめられることなくケーブル線２５１の端部の芯線部分２５２がソケットハウジング２６０に取付けられる場合よりも、ケーブル線２５１の端部の芯線部分２５２をソケットハウジング２６０に取付けることが難しくなってしまう。
【００２２】
更に、図８および図９に示した従来のケーブル線中継用コネクタでは、プラグハウジング２２０の内部およびソケットハウジング２６０の内部を防水するために、ケーブル線２１１の外皮２１３の外周面とプラグハウジング２２０の外周面とに接着剤を塗布しなければならず、ケーブル線２５１の外皮２５３の外周面とソケットハウジング２６０の外周面とに接着剤を塗布しなければならない。
【００２３】
また、電線を中継するためのコネクタの他の例として、例えば特許第２６６６９４９号公報に記載されたものがある。ところが、特許第２６６６９４９号公報に記載されたコネクタでは、電線の端部に対してスリーブをかしめるか、あるいは、スリーブに対して電線を不動に固定するためのＯリングを設けなければならない。
【００２４】
【特許文献１】特許第２６６６９４９号公報
【発明の開示】
【発明が解決しようとする課題】
【００２５】
前記問題点に鑑み、本発明は、ケーブル線の端部の芯線部分にターミナルまたはプラグピンをかしめる必要性を排除することができ、また、ターミナルまたはプラグピンの分だけ部品数を低減し、それにより、コストを低減し、装置を小型化することができるケーブル線中継用コネクタを提供することを目的とする。
【００２６】
更に、本発明は、ケーブル線の端部の芯線部分にコンタクトをかしめる必要性や、コンタクトに対してケーブル線を不動に固定するためのＯリングを設ける必要性を排除することができるケーブル線中継用コネクタを提供することを目的とする。
【００２７】
また、本発明は、ケーブル線の端部の芯線部分にプラグピンをかしめる必要性を排除することができ、また、ケーブル線の端部の芯線部分が直接他の部品と電気的に接触せしめられる場合よりも幅広い線径のワイヤをケーブル線として用いることができ、更に、ケーブル線の端部の芯線部分が直接他の部品と電気的に接触せしめられる場合のようにケーブル線の端部の芯線部分のワイヤがばらけるのに伴って電気的接触の信頼性が低下してしまうおそれを排除することができるケーブル線中継用コネクタを提供することを目的とする。
【００２８】
更に、本発明は、ケーブル線の端部の芯線部分にコンタクトをかしめる必要性や、コンタクトに対してケーブル線を不動に固定するためのＯリングを設ける必要性を排除することができ、ターミナルまたはプラグピンを設ける必要性を排除することができるケーブル線中継用コンタクトを提供することを目的とする。
【課題を解決するための手段】
【００２９】
請求項１に記載の発明によれば、ケーブル線の端部の芯線部分を収容するためのプラグハウジングを具備するケーブル線中継用コネクタにおいて、前記プラグハウジングが前記芯線部分を直接把持していることを特徴とするケーブル線中継用コネクタが提供される。
【００３０】
請求項２に記載の発明によれば、前記ケーブル線と前記プラグハウジングとを熱収縮性チューブによって保持したことを特徴とする請求項１に記載のケーブル線中継用コネクタが提供される。
【００３１】
請求項３に記載の発明によれば、ケーブル線の端部の芯線部分を収容するためのソケットハウジングを具備するケーブル線中継用コネクタにおいて、前記芯線部分と係合するための弾性変形可能な第１の係合部を有するコンタクトを前記ソケットハウジング内に配置したことを特徴とするケーブル線中継用コネクタが提供される。
【００３２】
請求項４に記載の発明によれば、前記芯線部分が前記第１の係合部と係合せしめられる時に前記芯線部分を保護誘導するための第１の保護誘導部を前記第１の係合部に隣接して配置したことを特徴とする請求項３に記載のケーブル線中継用コネクタが提供される。
【００３３】
請求項５に記載の発明によれば、プラグハウジングに取付けられたケーブル線の端部の芯線部分と係合するための弾性変形可能な第２の係合部を前記コンタクトに設けたことを特徴とする請求項３又は４に記載のケーブル線中継用コネクタが提供される。
【００３４】
請求項６に記載の発明によれば、プラグハウジングに取付けられたケーブル線の端部の芯線部分が前記第２の係合部と係合せしめられる時にその芯線部分を保護誘導するための第２の保護誘導部を前記第２の係合部に隣接して配置したことを特徴とする請求項５に記載のケーブル線中継用コネクタが提供される。
【００３５】
請求項７に記載の発明によれば、前記ソケットハウジングの内壁面と係合するための弾性変形可能な係止部を前記コンタクトに設けたことを特徴とする請求項３〜６のいずれか一項に記載のケーブル線中継用コネクタが提供される。
【００３６】
請求項８に記載の発明によれば、前記ソケットハウジングにその端部の芯線部分が収容されたケーブル線と前記ソケットハウジングとを熱収縮性チューブによって保持したことを特徴とする請求項３〜７のいずれか一項に記載のケーブル線中継用コネクタが提供される。
【００３７】
請求項９に記載の発明によれば、ケーブル線の端部の芯線部分を収容するためのプラグハウジングを具備するケーブル線中継用コネクタにおいて、まず、プラグピンを前記芯線部分に対してかしめることなく前記芯線部分上に被せ、次いで、前記プラグピンおよび前記芯線部分を前記プラグハウジングに取付けることを特徴とするケーブル線中継用コネクタが提供される。
【００３８】
請求項１０に記載の発明によれば、前記芯線部分を予め予備半田することを特徴とする請求項１〜９のいずれか一項に記載のケーブル線中継用コネクタが提供される。
【００３９】
請求項１１に記載の発明によれば、ケーブル線中継用コンタクトであって、第１のケーブル線と係合する第１の係合部と、第２のケーブル線と係合する第２の係合部とを有し、一つの部材からなることを特徴とするケーブル線中継用コンタクトが提供される。
【発明の効果】
【００４０】
従来のようにターミナルまたはプラグピンがケーブル線の端部の芯線部分にかしめられ、ケーブル線の端部の芯線部分がターミナルまたはプラグピンを介してプラグハウジングに把持されるのではなく、請求項１に記載のケーブル線中継用コネクタでは、ターミナルまたはプラグピンがケーブル線の端部の芯線部分にかしめられず、ケーブル線の端部の芯線部分がプラグハウジングに直接把持されている。そのため、ケーブル線の端部の芯線部分にターミナルまたはプラグピンをかしめる必要性を排除することができる。また、ターミナルまたはプラグピンの分だけ部品数を低減し、それにより、コストを低減し、装置を小型化することができる。
【００４１】
従来のようにケーブル線の外皮の外周面とプラグハウジングの外周面とに接着剤が塗布され、その接着剤がゴムブッシュによって覆われるのではなく、請求項２に記載のケーブル線中継用コネクタでは、ケーブル線とプラグハウジングとが熱収縮性チューブによって保持されている。詳細には、ケーブル線の外皮の外周面とプラグハウジングの外周面とを覆うように熱収縮性チューブが配置されている。そのため、ケーブル線の外皮の外周面とプラグハウジングの外周面とに接着剤を塗布する必要性を排除することができる。
【００４２】
請求項３に記載のケーブル線中継用コネクタでは、ケーブル線の端部の芯線部分と係合するための弾性変形可能な第１の係合部を有するコンタクトがソケットハウジング内に配置される。そのため、ケーブル線の端部の芯線部分にコンタクトをかしめる必要性や、コンタクトに対してケーブル線を不動に固定するためのＯリングを設ける必要性を排除することができる。好ましくは、上下一対の第１の係合部がコンタクトに設けられている。
【００４３】
請求項４に記載のケーブル線中継用コネクタでは、ケーブル線の端部の芯線部分が第１の係合部と係合せしめられる時にその芯線部分を保護誘導するための第１の保護誘導部が第１の係合部に隣接して配置されている。そのため、ケーブル線の端部の芯線部分が第１の係合部と係合せしめられる時に座屈してしまうのを抑制することができる。好ましくは、上下一対の第１の保護誘導部が上下一対の第１の係合部のそれぞれに隣接して配置されている。
【００４４】
請求項５に記載のケーブル線中継用コネクタでは、プラグハウジングに取付けられたケーブル線の端部の芯線部分と係合するための弾性変形可能な第２の係合部が、ソケットハウジング内に配置されるコンタクトに設けられている。そのため、プラグハウジングに取付けられたケーブル線の端部の芯線部分にコンタクトをかしめる必要性や、プラグハウジングに取付けられたケーブル線をコンタクトに対して不動に固定するためのＯリングを設ける必要性を排除することができる。更に、コンタクトとは別個にターミナルまたはプラグピンを設ける必要性を排除することができる。好ましくは、上下一対の第２の係合部がコンタクトに設けられている。
【００４５】
請求項６に記載のケーブル線中継用コネクタでは、プラグハウジングに取付けられたケーブル線の端部の芯線部分が第２の係合部と係合せしめられる時にその芯線部分を保護誘導するための第２の保護誘導部が、第２の係合部に隣接して配置されている。そのため、プラグハウジングに取付けられたケーブル線の端部の芯線部分が第２の係合部と係合せしめられる時に座屈してしまうのを抑制することができる。好ましくは、上下一対の第２の保護誘導部が上下一対の第２の係合部のそれぞれに隣接して配置されている。
【００４６】
請求項７に記載のケーブル線中継用コネクタでは、ソケットハウジングの内壁面と係合するための弾性変形可能な係止部がコンタクトに設けられている。そのため、例えばソケットハウジング内にコンタクトを圧入するためにソケットハウジングの内径とコンタクトの外径とを高精度で仕上げる必要なく、ソケットハウジングに対してコンタクトを不動に固定することができる。好ましくは、外側に向かって突出している左右一対の係止部がコンタクトに設けられている。
【００４７】
従来のようにケーブル線の外皮の外周面とソケットハウジングの外周面とに接着剤が塗布され、その接着剤がゴムブッシュによって覆われるのではなく、請求項８に記載のケーブル線中継用コネクタでは、ソケットハウジングにその端部の芯線部分が収容されたケーブル線とソケットハウジングとが熱収縮性チューブによって保持されている。詳細には、ケーブル線の外皮の外周面とソケットハウジングの外周面とを覆うように熱収縮性チューブが配置されている。そのため、ケーブル線の外皮の外周面とソケットハウジングの外周面とに接着剤を塗布する必要性を排除することができる。
【００４８】
従来のようにプラグピンがかしめられた状態でケーブル線の端部の芯線部分がプラグハウジングに取付けられるのではなく、請求項９に記載のケーブル線中継用コネクタでは、まず、プラグピンが、ケーブル線の端部の芯線部分に対してかしめられることなく、その芯線部分上に被せられ、次いで、プラグピンおよび芯線部分がプラグハウジングに取付けられる。詳細には、ケーブル線の端部の芯線部分がプラグハウジングに取付けられる時に、ケーブル線の端部の芯線部分がプラグピン内に圧入せしめられ、それにより、ケーブル線の端部の芯線部分とプラグピンとが電気的に接続せしめられる。そのため、ケーブル線の端部の芯線部分にプラグピンをかしめる必要性を排除することができる。また、ケーブル線の端部の芯線部分上にプラグピンが被せられ、そのプラグピンが他の部品と電気的に接触せしめられるため、ケーブル線の端部の芯線部分が直接他の部品と電気的に接触せしめられる場合よりも幅広い線径のワイヤをケーブル線として用いることができる。更に、ケーブル線の端部の芯線部分上にプラグピンが被せられ、そのプラグピンが他の部品と電気的に接触せしめられるため、ケーブル線の端部の芯線部分が直接他の部品と電気的に接触せしめられる場合のようにケーブル線の端部の芯線部分のワイヤがばらけるのに伴って電気的接触の信頼性が低下してしまうおそれを排除することができる。好ましくは、ケーブル線の端部の芯線部分と係合するために内側に突出している左右一対の係合部がプラグピンに設けられている。
【００４９】
請求項１０に記載のケーブル線中継用コネクタでは、ケーブル線の端部の芯線部分が予め予備半田される。そのため、ケーブル線の端部の芯線部分がプラグハウジング、ソケットハウジング、コンタクト、プラグピンなどの中に挿入される時に破損してしまうおそれを低減することができる。また、ケーブル線の端部の芯線部分が予備半田されることなく直接他の部品と電気的に接触せしめられる場合よりも幅広い線径のワイヤをケーブル線として用いることができる。更に、ケーブル線の端部の芯線部分が予備半田されることなく直接他の部品と電気的に接触せしめられる場合よりも、ケーブル線の端部の芯線部分のワイヤがばらけるのに伴って電気的接触の信頼性が低下してしまうおそれを低減することができる。
【００５０】
請求項１１に記載のケーブル線中継用コンタクトでは、第１のケーブル線と係合する第１の係合部と、第２のケーブル線と係合する第２の係合部とが設けられ、一つの部材から構成されている。そのため、ケーブル線の端部の芯線部分にコンタクトをかしめる必要性や、コンタクトに対してケーブル線を不動に固定するためのＯリングを設ける必要性を排除することができる。また、ターミナルまたはプラグピンを設ける必要性を排除することができる。
【発明を実施するための最良の形態】
【００５１】
図１は本発明のケーブル線中継用コネクタの第１の実施形態の一部を構成するプラグアセンブリの部分断面図である。図１において、１０は第１の実施形態のケーブル線中継用コネクタの一部を構成するプラグアセンブリ、１１はプラグアセンブリ１０によって中継されるケーブル線、１２はケーブル線１１の端部の芯線部分、１３はケーブル線１１の外皮である。２０はケーブル線１１の端部の芯線部分１２を収容するために絶縁体によって形成されたプラグハウジング、２１はプラグハウジング２０の外筒部、２２はケーブル線１１の端部の芯線部分１２を把持するための把持部、２３はプラグハウジング２０の係止部である。３０は加熱によって収縮せしめられる熱収縮性チューブである。熱収縮性チューブ３０の内周面には、加熱されると溶解し、冷却されると硬化する接着剤が予め塗布されている。
【００５２】
図２は本発明のケーブル線中継用コネクタの第１の実施形態の一部を構成するソケットアセンブリの部分断面図である。図２において、５０は第１の実施形態のケーブル線中継用コネクタの一部を構成するソケットアセンブリ、５１はソケットアセンブリ５０によって中継されるケーブル線、５２はケーブル線５１の端部の芯線部分、５３はケーブル線５１の外皮である。６０はケーブル線５１の端部の芯線部分５２を収容するために絶縁体によって形成されたソケットハウジング、６１はソケットハウジング６０の外筒部、６２はケーブル線５１の端部の芯線部分５２を把持するための把持部、６３はソケットハウジング６０の係止部である。７０は図１に示したケーブル線１１の端部の芯線部分１２とケーブル線５１の端部の芯線部分５２とを電気的に接続するためのコンタクトである。７１はケーブル線５１の端部の芯線部分５２と係合するために上下一対設けられた係合部、７２はケーブル線５１の端部の芯線部分５２がソケットハウジング６０に取付けられる時にケーブル線５１の端部の芯線部分５２を保護誘導するために係合部７１に隣接して配置されたテーパ部である。７３は図１に示したケーブル線１１の端部の芯線部分１２と係合するために上下一対設けられた係合部、７４はケーブル線１１の端部の芯線部分１２がソケットハウジング６０に取付けられる時にケーブル線１１の端部の芯線部分１２を保護誘導するために係合部７３に隣接して配置されたテーパ部である。８０は熱収縮性チューブ３０と同様に構成された熱収縮性チューブ、９０はＯリングである。
【００５３】
図３は図２に示したソケットハウジング６０およびケーブル線５１を詳細に示した図である。詳細には、図３（Ａ）は図２に示したソケットハウジング６０およびケーブル線５１の分解図、図３（Ｂ）は図３（Ａ）に示したソケットハウジング６０を図３（Ａ）の左側から見た端面図、図３（Ｃ）は図３（Ａ）に示したソケットハウジング６０とケーブル線５１とが組み付けられた状態を示した図、図３（Ｄ）は図３（Ｂ）中のＡ−Ａ断面図である。図３において、６４はソケットハウジング６０の外筒部６１の内壁面である。
【００５４】
図４は図２に示したコンタクト７０の斜視図である。図４において、７５はソケットハウジング６０の外筒部６１の内壁面６４と係合することにより、ソケットハウジング６０に対してコンタクト７０を不動に固定するために左右一対設けられた係止部である。図４に示すように、係止部７５は外側に向かって突出せしめられている。図示しないが、手前側の係止部７５と同様に、奥側の係止部７５も外側に向かって突出せしめられている。つまり、このコンタクト７０は、ケーブル線５１の端部の芯線部分５２と係合する係合部７１と、ケーブル線１１の端部の芯線部分１２と係合する係合部７３とが設けられ、一つの部材から構成されている。
【００５５】
第１の実施形態のケーブル線中継用コネクタでは、ケーブル線１１とケーブル線５１とが中継される場合には、まず、図１に示すように、ケーブル線１１の端部の芯線部分１２がプラグハウジング２０の把持部２２内に挿入される。この芯線部分１２は、プラグハウジング２０の把持部２２内に挿入される時および後述するコンタクト７０内に挿入される時に破損してしまうおそれを低減するために、プラグハウジング２０の把持部２２内に挿入される前に、その先端が予め予備半田されている。次いで、ケーブル線１１の端部の芯線部分１２をプラグハウジング２０に対して不動に係止するため、および、プラグハウジング２０の内部を防水するために、ケーブル線１１の外皮１３の外周面とプラグハウジング２０の外周面とが熱収縮性チューブ３０によって覆われ、次いで、熱が加えられることによって熱収縮性チューブ３０が収縮せしめられる。以上により、プラグアセンブリ１０が形成される。
【００５６】
また、図２に示すように、コンタクト７０がソケットハウジング６０の外筒部６１内に挿入される。その結果、図３（Ａ）に示したソケットハウジング６０の外筒部６１の内壁面６４と図４に示したコンタクト７０の係止部７５とが係合することにより、コンタクト７０がソケットハウジング６０に対して不動に固定される。好ましくは、コンタクト７０の係止部７５と係合するための凹部（図示せず）がソケットハウジング６０の外筒部６１の内壁面６４に形成されている。次いで、ケーブル線５１の端部の芯線部分５２がソケットハウジング６０の把持部６２内に挿入される。この芯線部分５２は、ソケットハウジング６０の把持部６２内に挿入される時およびコンタクト７０内に挿入される時に破損してしまうおそれを低減するために、ソケットハウジング６０の把持部６２内に挿入される前に、その先端が予め予備半田されている。ケーブル線５１の端部の芯線部分５２は、コンタクト７０のテーパ部７２によってコンタクト７０内に保護誘導され、コンタクト７０の係合部７１と係合する。それにより、ケーブル線５１とコンタクト７０とが電気的に接続せしめられる。
【００５７】
次いで、ケーブル線５１の端部の芯線部分５２をソケットハウジング６０に対して不動に係止するため、および、ソケットハウジング６０の内部を防水するために、ケーブル線５１の外皮５３の外周面とソケットハウジング６０の外周面とが熱収縮性チューブ８０によって覆われ、次いで、熱が加えられることによって熱収縮性チューブ８０が収縮せしめられる。また、Ｏリング９０がソケットハウジング６０の外筒部６１の外周面上に配置される。以上により、ソケットアセンブリ５０が形成される。
【００５８】
次いで、ソケットハウジング６０の外筒部６１がプラグハウジング２０の外筒部２１内に嵌合せしめられ、ソケットハウジング６０の係止部６３がプラグハウジング２０の係止部２３と係合せしめられる。その時、ケーブル線１１の端部の芯線部分１２は、コンタクト７０のテーパ部７４によってコンタクト７０内に保護誘導され、コンタクト７０の係合部７３と係合する。それにより、ケーブル線１１とコンタクト７０とが電気的に接続せしめられる。その結果、ケーブル線１１とケーブル線５１とが電気的に接続せしめられ、中継されることになる。詳細には、ソケットハウジング６０の外筒部６１がプラグハウジング２０の外筒部２１内に嵌合せしめられると、ケーブル線１１の端部の芯線部分１２が、コンタクト７０の入口縁部に引っ掛かることなくテーパ部７４まで案内されるように、ソケットハウジング６０の外筒部６１と、プラグハウジング２０の外筒部２１と、その把持部２２と、コンタクト７０とが芯出しされている。
【００５９】
第１の実施形態のケーブル線中継用コネクタでは、図７または図８に示した従来の場合のようにターミナル１４０またはプラグピン２４０がケーブル線の端部の芯線部分にかしめられるのではなく、図１に示したように、ケーブル線１１の端部の芯線部分１２がプラグハウジング２０に直接把持されている。そのため、ケーブル線１１の端部の芯線部分１２にターミナルまたはプラグピンをかしめる必要性を排除することができる。また、図７に示したターミナル１４０または図８に示したプラグピン２４０の分だけ部品数を低減し、それにより、コストを低減し、装置を小型化することができる。
【００６０】
更に、第１の実施形態のケーブル線中継用コネクタでは、図１に示したように、ケーブル線１１とプラグハウジング２０とが熱収縮性チューブ３０によって保持されている。詳細には、ケーブル線１１の外皮１３の外周面とプラグハウジング２０の外周面とを覆うように熱収縮性チューブ３０が配置されている。そのため、ケーブル線１１の外皮１３の外周面とプラグハウジング２０の外周面とに接着剤を塗布する必要性を排除することができる。
【００６１】
また、第１の実施形態のケーブル線中継用コネクタでは、図２に示したように、ケーブル線５１の端部の芯線部分５２と係合するための弾性変形可能な係合部７１を有するコンタクト７０がソケットハウジング６０内に配置される。そのため、ケーブル線５１の端部の芯線部分５２にコンタクトをかしめる必要性や、コンタクトに対してケーブル線を不動に固定するためのＯリングを設ける必要性を排除することができる。
【００６２】
更に、第１の実施形態のケーブル線中継用コネクタでは、図２に示したように、ケーブル線５１の端部の芯線部分５２が係合部７１と係合せしめられる時にその芯線部分５２を保護誘導するためのテーパ部７２が係合部７１に隣接して配置されている。そのため、ケーブル線５１の端部の芯線部分５２が係合部７１と係合せしめられる時に座屈してしまうのを抑制することができる。
【００６３】
また、第１の実施形態のケーブル線中継用コネクタでは、図２に示したように、プラグハウジング２０に取付けられたケーブル線１１の端部の芯線部分１２と係合するための弾性変形可能な係合部７３が、ソケットハウジング６０内に配置されるコンタクト７０に設けられている。そのため、プラグハウジング２０に取付けられたケーブル線１１の端部の芯線部分１２にコンタクト７０をかしめる必要性や、プラグハウジング２０に取付けられたケーブル線１１をコンタクト７０に対して不動に固定するためのＯリングを設ける必要性を排除することができる。更に、コンタクト７０とは別個にターミナルまたはプラグピンを設ける必要性を排除することができる。
【００６４】
更に、第１の実施形態のケーブル線中継用コネクタでは、図２に示したように、プラグハウジング２０に取付けられたケーブル線１１の端部の芯線部分１２が係合部７３と係合せしめられる時にその芯線部分１２を保護誘導するためのテーパ部７４が、係合部７３に隣接して配置されている。そのため、プラグハウジング２０に取付けられたケーブル線１１の端部の芯線部分１２が係合部７３と係合せしめられる時に座屈してしまうのを抑制することができる。
【００６５】
また、第１の実施形態のケーブル線中継用コネクタでは、図４に示したように、ソケットハウジング６０の内壁面６４と係合するための弾性変形可能な係止部７５がコンタクト７０に設けられている。そのため、例えばソケットハウジング６０内にコンタクト７０を圧入するためにソケットハウジングの内径とコンタクトの外径とを高精度で仕上げる必要なく、ソケットハウジング６０に対してコンタクト７０を不動に固定することができる。
【００６６】
更に、第１の実施形態のケーブル線中継用コネクタでは、図２に示したように、ケーブル線５１とソケットハウジング６０とが熱収縮性チューブ８０によって保持されている。詳細には、ケーブル線５１の外皮５３の外周面とソケットハウジング６０の外周面とを覆うように熱収縮性チューブ８０が配置されている。そのため、ケーブル線５１の外皮５３の外周面とソケットハウジング６０の外周面とに接着剤を塗布する必要性を排除することができる。
【００６７】
以下、本発明のケーブル線中継用コネクタの第２の実施形態について説明する。図５および図６は本発明のケーブル線中継用コネクタの第２の実施形態の一部を構成するプラグアセンブリを説明するための図である。詳細には、図５はプラグアセンブリを構成するケーブル線およびプラグピンの分解図、図６はプラグアセンブリの部分断面図である。図５および図６において、図１に示した参照番号と同一の参照番号は、図１に示した部品または部分と同一の部品または部分を示しており、３４０はケーブル線１１の端部の芯線部分１２を覆うためのプラグピンである。３４０’はケーブル線１１の端部の芯線部分１２と係合するために内側に突出せしめられた弾性変形可能な係合部である。この係合部３４０’は左右一対設けられている。１０’は第２の実施形態のケーブル線中継用コネクタの一部を構成するプラグアセンブリ、２０’はプラグアセンブリ１０’の一部を構成するプラグハウジング、２２’はプラグピン３４０を把持するための把持部である。
【００６８】
図示しないが、第２の実施形態のケーブル線中継用コネクタのソケットアセンブリは、図２〜図４に示した第１の実施形態のケーブル線中継用コネクタのソケットアセンブリと同様に構成されている。
【００６９】
第２の実施形態のケーブル線中継用コネクタでは、ケーブル線１１とケーブル線５１とが中継される場合には、まず、図５に示すように、プラグピン３４０が、ケーブル線１１の端部の芯線部分１２に対してかしめられることなく、その芯線部分１２上に被せられる。それにより、ケーブル線１１とプラグピン３４０とが電気的に接続せしめられる。この芯線部分１２は、プラグピン３４０内に挿入される時に破損してしまうおそれを低減するために、プラグピン３４０内に挿入される前に、その先端が予め予備半田されている。次いで、ケーブル線１１の端部の芯線部分１２およびプラグピン３４０がプラグハウジング２０’の把持部２２’内に挿入される。次いで、ケーブル線１１の端部の芯線部分１２をプラグハウジング２０’に対して不動に係止するため、および、プラグハウジング２０’の内部を防水するために、ケーブル線１１の外皮１３の外周面とプラグハウジング２０’の外周面とが熱収縮性チューブ３０によって覆われ、次いで、熱が加えられることによって熱収縮性チューブ３０が収縮せしめられる。以上により、プラグアセンブリ１０’が形成される。
【００７０】
また、第１の実施形態のケーブル線中継用コネクタのソケットアセンブリと同様に、図２に示したように、第２の実施形態のケーブル線中継用コネクタのソケットアセンブリ５０が形成される。
【００７１】
次いで、ソケットハウジング６０の外筒部６１がプラグハウジング２０’の外筒部２１内に嵌合せしめられ、ソケットハウジング６０の係止部６３がプラグハウジング２０’の係止部２３と係合せしめられる。その時、ケーブル線１１の端部の芯線部分１２上に被せられたプラグピン３４０は、コンタクト７０のテーパ部７４によってコンタクト７０内に保護誘導され、コンタクト７０の係合部７３と係合する。それにより、ケーブル線１１上に被せられたプラグピン３４０とコンタクト７０とが電気的に接続せしめられる。その結果、ケーブル線１１とケーブル線５１とが電気的に接続せしめられ、中継されることになる。
【００７２】
第２の実施形態のケーブル線中継用コネクタでは、図８に示した従来の場合のようにプラグピン２４０がケーブル線の端部の芯線部分にかしめられるのではなく、まず、図５に示したように、プラグピン３４０が、ケーブル線１１の端部の芯線部分１２に対してかしめられることなく、その芯線部分１２上に被せられ、次いで、図６に示したように、プラグピン３４０および芯線部分１２がプラグハウジング２０’に取付けられる。そのため、ケーブル線１１の端部の芯線部分１２にプラグピン３４０をかしめる必要性を排除することができる。また、図５に示したように、ケーブル線１１の端部の芯線部分１２上にプラグピン３４０が被せられ、そのプラグピン３４０がコンタクト７０と電気的に接触せしめられるため、ケーブル線１１の端部の芯線部分１２が直接コンタクト７０と電気的に接触せしめられる場合よりも幅広い線径のワイヤをケーブル線１１として用いることができる。更に、図５に示したように、ケーブル線１１の端部の芯線部分１２上にプラグピン３４０が被せられ、そのプラグピン３４０がコンタクト７０と電気的に接触せしめられるため、ケーブル線１１の端部の芯線部分１２が直接コンタクト７０と電気的に接触せしめられる場合のようにケーブル線１１の端部の芯線部分１２のワイヤがばらけるのに伴って電気的接触の信頼性が低下してしまうおそれを排除することができる。
【００７３】
更に、第２の実施形態のケーブル線中継用コネクタでは、図６に示したように、ケーブル線１１とプラグハウジング２０’とが熱収縮性チューブ３０によって保持されている。詳細には、ケーブル線１１の外皮１３の外周面とプラグハウジング２０’の外周面とを覆うように熱収縮性チューブ３０が配置されている。そのため、ケーブル線１１の外皮１３の外周面とプラグハウジング２０’の外周面とに接着剤を塗布する必要性を排除することができる。
【００７４】
上述したように、第１および第２の実施形態では、本発明が１極型のケーブル線中継用コネクタに適用されているが、第３の実施形態では、本発明を多極型または分配型のケーブル線中継用コネクタに適用可能である。
【図面の簡単な説明】
【００７５】
【図１】本発明のケーブル線中継用コネクタの第１の実施形態の一部を構成するプラグアセンブリの部分断面図である。
【図２】本発明のケーブル線中継用コネクタの第１の実施形態の一部を構成するソケットアセンブリの部分断面図である。
【図３】図２に示したソケットハウジング６０およびケーブル線５１を詳細に示した図である。
【図４】図２に示したコンタクト７０の斜視図である。
【図５】本発明のケーブル線中継用コネクタの第２の実施形態の一部を構成するプラグアセンブリを説明するための図である。
【図６】本発明のケーブル線中継用コネクタの第２の実施形態の一部を構成するプラグアセンブリを説明するための図である。
【図７】従来のプラグ・ソケットタイプのケーブル線中継用コネクタの部分断面図である。
【図８】他の従来のプラグ・ソケットタイプのケーブル線中継用コネクタの一部を構成するプラグアセンブリの部分断面図である。
【図９】他の従来のプラグ・ソケットタイプのケーブル線中継用コネクタの一部を構成するソケットアセンブリの部分断面図である。
【符号の説明】
【００７６】
１０      プラグアセンブリ
１１      ケーブル線
１２      芯線部分
１３      外皮
２０      プラグハウジング
２１      外筒部
２２      把持部
２３      係止部
３０      熱収縮性チューブ
５０      ソケットアセンブリ
５１      ケーブル線
５２      芯線部分
５３      外皮
６０      ソケットハウジング
６１      外筒部
６２      把持部
６３      係止部
６４      内壁面
７０      コンタクト
７１      係合部
７２      テーパ部
７３      係合部
７４      テーパ部
７５      係止部
８０      熱収縮性チューブ
９０      Ｏリング
【図１】
2005293957.tif 000003
【図２】
2005293957.tif 000004
【図３】
2005293957.tif 000005
【図４】
2005293957.tif 000006
【図５】
2005293957.tif 000007
【図６】
2005293957.tif 000008
【図７】
2005293957.tif 000009
【図８】
2005293957.tif 000010
【図９】
2005293957.tif 000011